(57)【特許請求の範囲】
【請求項１】
浴室への出入口部と、この出入口部の傍らの収納部付き袖壁とで形成され、浴室とこれに隣接する脱衣室との境界部に設けられる収納機能付き壁部材であって、上記の出入口部が、窓枠状に形成されると共に、上記の境界部の浴室側に取り付けられるドア額縁との連結部を備え、この連結部が、ドア額縁に差し込んで重合させるため、出入口部の浴室側の周縁に後方に向かって突き出され、薄板状に形成され、又上記の袖壁の収納部が、袖壁に一体状に形成されていることを特徴とする収納機能付き壁部材。
【請求項２】
請求項１記載の収納機能付き壁部材であって、袖壁の収納部が、浴室側に開口する扉付き収納室を一体成型により備えてなることを特徴とする収納機能付き壁部材。
【請求項３】
請求項１又は２記載の収納機能付き壁部材であって、袖壁の脱衣室側に開口する収納部が扉を備え、この扉の前面がミラーで形成されていることを特徴とする収納機能付き壁部材。
【請求項４】
請求項１又は２記載の収納機能付き壁部材であって、袖壁の脱衣室側に開口する収納部が、縦軸を中心に開閉する開き戸を備え、この開き戸の裏面がミラーで形成されていることを特徴とする収納機能付き壁部材。
【請求項５】
請求項１乃至４の何れかに記載の収納機能付き壁部材であって、袖壁に電気器具の操作部が設けられ、この操作部に接続される電源コードが出入口部と袖壁との間の縦枠内を通されて配線されていることを特徴とする収納機能付き壁部材。
【請求項６】
請求項１乃至５の何れかに記載の収納機能付き壁部材であって、脱衣室に面する袖壁の胴部に給水栓が設けられ、この給水栓に接続される給水管の配管用スペースを袖壁が胴部の下側に備えて形成されていることを特徴とする収納機能付き壁部材。
【請求項７】
請求項６記載の収納機能付き壁部材であって、給水栓が袖壁の左右方向の一方側に寄せられて設けられ、袖壁の他方側にあたる胴部の下方位置に、布帛を掛けるためのバーが設けられていることを特徴とする収納機能付き壁部材。
【発明の詳細な説明】
【０００１】
【発明の属する技術分野】
本発明は、収納機能付き壁部材に関し、更に詳しくは浴室と、これに隣接する脱衣室との境界部に設け、間仕切りとして機能するだけではなく、上記の境界部を収納スペース化できるよう形成した収納機能付き壁部材に関するものである。
【０００２】
【従来の技術】
従来この種の壁部材としては、例えば左右方向の片側にドアを設け、このドアの隣の袖壁を収納部に形成し、この収納部を浴室側又は脱衣室側に開口する嵌め込み式の収納ボックスで形成したものや、方立（支柱）の左右にドア付きのドア枠と袖パネルとを入れ替え可能に形成したもの、更には収納箱を枠体に嵌め込んで間仕切り壁を形成すると共に、電気器具の電源コードを枠体とコード通し用の凹部との間を通して間仕切り壁の外方に導出してなるもの等が知られている（例えば特公昭５６−３２４２３号公報、同５６−１１８２９号公報、実公昭５６−３１６１７号公報等参照）。
【０００３】
【発明が解決しようとする課題】
従来のこの種の壁部材は、上記の通り、浴室への出入口部にドアが設けられているのが通例であった。従って従来品の場合は、ドアの垂直面を伝わって落下する水や、浴室の洗い場から出入口部に向かって流れる湯水で、出入口部の下枠の上面が濡れ易く、その為この箇所を度々拭き掃除しなければならない、という煩わしさがあった。又従来品は、出入口部にドア枠の機能を持たせている為、出入口部の枠を厚く、強度を大きく形成する必要があった。従って従来品は、その分、重量が増加し、取り扱いが不便になり、製造コストがかかる、という問題点があった。
【０００４】
又従来のこの種の壁部材は、上記の通り、袖壁の収納部が、外枠に嵌め込まれる収納ボックスで形成されるものであった。従って従来品の場合は、現場での作業工程が増え、大工工事を伴い、壁の構築、ひいては浴室の施工に手間暇がかかる、という問題点があった。
【０００５】
本発明は、このような従来の問題点に鑑み、提案されたものである。
従って本発明の技術的課題は、出入口部の下枠の上面がドアから滴り落ちる水や洗い場から流れ出る湯水で濡れることを防止でき、又出入口部の構造を簡単化して軽量化や取扱いの容易化、低廉化を可能にすると共に、外枠に収納ボックスを現場で嵌めこむ作業を一掃し、浴室と脱衣室との仕切壁の構築を、簡単化、迅速化、低コスト化できるよう形成した収納機能付き壁部材を提供することにある。
【０００６】
【課題を解決するための手段】
本発明は、上記の課題を解決するために、次のような技術的手段を採る。
【０００７】
即ち本発明は、図１等に示されるように、浴室１への出入口部２と、この出入口部２の傍らの収納部３付き袖壁４とで形成され、浴室１とこれに隣接する脱衣室５との境界部６に設けられる収納機能付き壁部材であって、上記の出入口部２が、窓枠状に形成されると共に、上記の境界部６の浴室１側に取り付けられるドア額縁７との連結部２ａを備え、この連結部２ａが、ドア額縁７に差し込んで重合させるため、出入口部２の浴室１側の周縁に後方に向かって突き出され、薄板状に形成され、又上記の袖壁４の収納部３が、袖壁４に一体状に形成されていることを特徴とする（請求項１）。
【０００８】
上記の連結部２ａは、出入口部２の浴室１側の周縁に、薄板が連続状又は断続的に突き出されることで実現される。又ここで、袖壁４に一体状に形成されている、とは、収納部３が袖壁４に予め形作られている、ということを意味し、具体的にはアルミニウム等の金属材や合成樹脂材で袖壁４と一体成型されることにより実現される。
【０００９】
而して本発明の場合、袖壁４の収納部３が、浴室１側に開口する扉３ｂ付き収納室３ａを一体成型により備えてなるのが好ましい（請求項２）。
【００１０】
なぜならこれによると、浴室１の側からも、収納品の出し入れを行うことができ、使い勝手が良くなるからである。
【００１１】
又本発明は、袖壁４の脱衣室５側に開口する収納部３が扉１３を備え、この扉１３の前面がミラーで形成されているのが好ましい（請求項３）。
【００１２】
なぜならこの場合は、脱衣室５に置かれる洗面化粧台の鏡を別人が使用中でも、ミラーの使用が可能になるからである。この本発明の場合、扉１３の大きさや、その開閉方向は任意であり、又扉１３は引き戸式に形成されているのでも良い。
【００１３】
而して本発明は、袖壁４の脱衣室５側に開口する収納部３が、縦軸２３（図８、図９参照）を中心に開閉する開き戸２４を備え、この開き戸２４の裏面２４ａがミラーで形成されるのでも良い（請求項４）。
【００１４】
この本発明の場合は、ミラーを使用する際、開き戸２４が開かれる為、収納品の出し入れを、そのままの状態で行うことができ、使い勝手が良くなるものである。
【００１５】
又本発明は、袖壁４に電気器具の操作部１４（図６等参照）が設けられ、この操作部１４に接続される電源コード１５が出入口部２と袖壁４との間の縦枠１６内を通されて配線されているのが好ましい（請求項５）。
【００１６】
この場合は、天井裏等に設けられる電源ボックス１７（図２参照）との接続距離を短くでき、効率良く、且つ低コストで配線できるからである。
【００１７】
又本発明は、脱衣室５に面する袖壁４の胴部４ａに給水栓１８（図３等参照）が設けられ、この給水栓１８に接続される給水管１９の配管用スペース２０を袖壁４が胴部４ａの下側に備えて形成されているのが好ましい（請求項６）。
【００１８】
なぜならこれによると、袖壁４の前側の脱衣室５の位置に洗濯機を配置することができ、洗濯機の置き場所を脱衣室５に確保できるからである。
【００１９】
又本発明は、図２に示されるように、給水栓１８が袖壁４の左右方向の一方側に寄せられて設けられ、袖壁４の他方側にあたる胴部４ａの下方位置に、布帛を掛けるためのバー２２が設けられているのが好ましい（請求項７）。
【００２０】
なぜならこれによると、洗濯機の横に、タオルや雑巾等の布帛を吊り下げて使用でき、より使い勝手が良くなるからである。
【００２１】
【発明の実施の形態】
以下、本発明の好適な一実施形態を添付図面に従って説明する。
【００２２】
本発明の壁部材は、図１等に示されるように、浴室１への出入口部２と、この出入口部２の傍らの収納部３付き袖壁４とで形成され、浴室１とこれに隣接する脱衣室５との境界部６に設けられるものである。７は、ドア８が取り付けられるドア額縁である。このドア額縁７は、上記の境界部６の浴室１側に取り付けられている。
【００２３】
上記の出入口部２は、窓枠状に形成されると共に、上記のドア額縁７との連結部２ａを備えて形成されている。この連結部２ａは、ドア額縁７に差し込んで重合させるため、出入口部２の浴室１側の周縁に後方に向かって突き出され、薄板状に形成されている。出入口部２は、境界部６の土台９（図３参照）等に直接又は間接材を介してネジ等で固定される。なおこの実施形態では、図５に示されるように、ドア額縁７と連結部２ａとの間にパッキン１０が設けられ、又出入口部２の脱衣室５側の外周部に縁材１１が取り付けられている。
【００２４】
又袖壁４の収納部３は、この実施形態ではアルミニウムで袖壁４と共に一体成型されることにより形成されている。３ａ（図３等参照）は、浴室１側に開口する収納室である。この収納室３ａは、袖壁４と一体成型され、浴室１の側から開け閉めする扉３ｂを備えて形成されている。収納室３ａは、この扉３ｂによって水密状に閉塞されるものである。又この実施形態の場合、収納室３ａは、奥側の壁が取り払われて通し孔状に形成され、扉３ｂを開けると、浴室１内と袖壁４内とが連通するよう形成されている。
【００２５】
又脱衣室５側に開口する上記の収納部３は、この実施形態では蝶番等の枢着部１２（図１、図２等参照）を介して左右方向に回動する扉１３を備え、この扉１３の前面はミラーで形成されている。又この実施形態では、図２に示されるように、袖壁４の胴部４ａの前面に、例えばコンセントや照明、換気扇、曇り止めヒータ等の電気器具の、操作部１４としてのスイッチが設けられている。１５（図６等参照）は、この操作部１４に一端が接続される電源コードである。この電源コード１５は、出入口部２と袖壁４との間の縦枠１６内を通されて配線され、浴室１の天井等に設けられる電源ボックス１７（図２参照）に他端が接続されている。
【００２６】
又この実施形態の本発明品は、図２に示されるように、袖壁４の胴部４ａに、左右方向の一方側に寄せられて給水栓１８が設けられている。１８ａは、この給水栓１８の操作摘みである。又１９（図３参照）は、給水管である。この給水管１９は、同図に示されるように、床下から立ち上げられ、袖壁４の胴部４ａの下側に形成されている配管用スペース２０に配管され、給水栓１８に接続されている。配管用スペース２０は、給水管１９の接続部の点検を脱衣室５の側から行うことができるよう、その前面が蓋２１で覆われている。又この実施形態の本発明は、袖壁４の左右方向の他方側にあたる胴部４ａの下方位置に、布帛を掛けるためのバー２２（図２参照）が設けられている。
【００２７】
次にこの実施形態に係る本発明品の施工例並びに使用の仕方を説明する。
【００２８】
作業者は、先ずドア額縁７を境界部６の浴室１側に取り付ける。次に作業者は、連結部２ａをドア額縁７に差し込んで本発明品をネジ等で境界部６に固定する。又電源コード１５を縦枠１６内を通して配線し、一端を天井裏の電源ボックス１７に接続させると共に、他端を操作部１４に対応する縦枠１６の側面の開口１６ａ（図７Ｂ参照）から引き出して操作部１４に電気的に接続する。又作業者は、袖壁４の下部の配管用スペース２０に床下から給水管１９を立ち上げて配管し、給水管１９の上端を給水栓１８に接続する。
【００２９】
而して使用者は、給水栓１８の前側の脱衣室５の位置に、洗濯機を配置して使用する。この場合この実施形態の本発明品は、上記の通り、収納室３ａの内部が通し孔状に形成されている。従ってこの本発明品の場合は、洗濯作業時に浴室１側の扉３ｂと、脱衣室５側の扉１３を開け、収納室３ａを介して浴槽と洗濯機をホースでつなげ、浴槽の残り湯を家庭用の簡易ポンプで洗濯機に給湯し、洗濯に利用する、という使い方ができる。
【００３０】
以上の処において、本発明は、図８、図９に示されるように、収納部３が縦軸２３を中心に開閉する開き戸２４を備え、この開き戸２４の裏面２４ａがミラーで形成されているのでも良い。この場合は、ミラーを使いながら、収納部３内の収納品を容易に出し入れすることができる。なお縦軸２３は、この実施形態では袖壁４の略中央に設けられているが、これに限定されるものではなく、側部に配置されるのでも良い。
【００３１】
【発明の効果】
以上説明したように本発明の壁部材は、出入口部が窓枠状に形成されると共に、ドア額縁との連結部を備え、この連結部が、ドア額縁に差し込んで重合させるため、出入口部の浴室側の周縁に後方に向かって突き出され、薄板状に形成され、又収納部が袖壁に一体状に形成されているものである。
【００３２】
従って本発明の場合、ドア額縁は浴室と脱衣室の境界部の浴室側に取り付けられ、ドアはこのドア額縁に設けられるものであるから、これによれば出入口部の下枠の上面が、ドアから滴り落ちる水等で濡れることを防止できる。又本発明の場合は、出入口部の構造を簡単化できるから、軽量化や低コスト化を図ることができる。
【００３３】
又本発明は、上記の通り、収納部が袖壁に一体状に形成されているから、上記の連結部をドア額縁に連結し、境界部に本発明品を固定することで壁工事を完了できる。従ってこれによれば、浴室と脱衣室の境界部の壁工事を、簡単化、迅速化でき、この種の壁工事の施工費を低廉化できる。
【図面の簡単な説明】
【図１】本発明の壁部材の好適な一実施形態を示す一部を切欠した施工時の要部横断面図である。
【図２】同上壁部材の脱衣室側から見た正面図である。
【図３】図２のIII―III線における断面図である。
【図４】同上壁部材の設置時の要部横断面図である。
【図５】同上壁部材の要部拡大断面図である。
【図６】同上壁部材の要部正面図である。
【図７】Ａは図６のVII―VII線から見た要部拡大断面図、ＢはＡのＢ―Ｂ線断面図である。
【図８】同上壁部材の他の実施形態を示す要部平面図である。
【図９】図８の実施形態の要部斜視図である。
【符号の説明】
１    浴室
２    出入口部
２ａ  連結部
３    収納部
４    袖壁
５    脱衣室
６    境界部
７    ドア額縁
【図１】
0003994745.tif 000002
【図２】
0003994745.tif 000003
【図３】
0003994745.tif 000004
【図４】
0003994745.tif 000005
【図５】
0003994745.tif 000006
【図６】
0003994745.tif 000007
【図７】
0003994745.tif 000008
【図８】
0003994745.tif 000009
【図９】
0003994745.tif 000010